【手続補正書】
【提出日】平成23年1月21日(2011.1.21)
【手続補正１】
【補正対象書類名】特許請求の範囲
【補正対象項目名】全文
【補正方法】変更
【補正の内容】
【特許請求の範囲】
【請求項１】
モバイル回線交換ネットワークとモバイルＩＭＳ（ＩＰ  Ｍｕｌｔｉｍｅｄｉａ  Ｓｕｂｓｙｓｔｅｍ）ネットワークを相互接続しテレビ電話を実現するゲートウェイ装置であって、
前記モバイル回線交換ネットワークに接続される端末から出力される多重化されたビットストリーム信号を分離して、制御信号、圧縮符号化された音声信号、圧縮符号化された映像信号のうちの少なくとも一つを取り出し、
前記制御信号は、ＭＥＧＡＣＯ（Ｍｅｄｉａ  Ｇａｔｅｗａｙ  Ｃｏｎｔｒｏｌ）信号、ＳＩＰ（Ｓｅｓｓｉｏｎ  Ｉｎｉｔｉａｔｉｏｎ  Ｐｒｏｔｏｃｏｌ）信号、ＳＤＰ（Ｓｅｓｓｉｏｎ  Ｄｅｓｃｒｉｐｔｉｏｎ  Ｐｒｏｔｏｃｏｌ）信号のうちの少なくとも一つに変換し、
前記音声信号は必要があれば変換し、
前記映像信号は必要があれば変換し、
前記音声信号及び前記映像信号をパケット化して前記ＩＭＳネットワークに送出する変換部を備える、ことを特徴とするゲートウェイ装置。
【請求項２】
モバイル回線交換ネットワークとモバイルＩＭＳネットワークを相互接続しテレビ電話を実現するゲートウェイ装置であって、
前記モバイルＩＭＳネットワークに接続される端末から出力される、ＳＩＰ（Ｓｅｓｓｉｏｎ  Ｉｎｉｔｉａｔｉｏｎ  Ｐｒｏｔｏｃｏｌ）信号及び／又はＳＤＰ（Ｓｅｓｓｉｏｎ  Ｄｅｓｃｒｉｐｔｉｏｎ  Ｐｒｏｔｏｃｏｌ）信号を受信し、
パケット化された圧縮符号化音声信号と、パケット化された圧縮符号化映像信号のうちの少なくとも一つを受信し、
前記ＳＩＰ信号又はＳＤＰ信号をＭＥＧＡＣＯ（Ｍｅｄｉａ  Ｇａｔｅｗａｙ  Ｃｏｎｔｒｏｌ）信号またはＨ．２４５信号のうち少なくとも一つからなる制御信号に変換し、
前記音声信号は必要があれば変換し、
前記映像信号は必要があれば変換し、
前記制御信号を前記音声信号と前記映像信号を多重化して前記モバイル回線交換ネットワークに送出する変換部を備える、ことを特徴とするゲートウェイ装置。
【請求項３】
前記変換部は、モバイル回線交換ネットワークに接続される携帯端末とモバイルＩＭＳネットワークに接続される端末の間で能力情報が異なる場合は、ビットレート、標本化周波数、画面解像度、フレームレート、圧縮方式の能力情報のうちの少なくとも一つを変換する、ことを特徴とする請求項１又は２に記載のゲートウェイ装置。
【請求項４】
前記音声信号及び前記映像信号をパケット化するときに、それぞれ、ＩＥＴＦ  ＲＦＣ３２６７、及びＩＥＴＦ  ＲＦＣ３０１６に従う、ことを特徴とする請求項１に記載のゲートウェイ装置。
【請求項５】
前記パケット化された圧縮音声信号、及びパケット化された圧縮映像信号は、それぞれ、ＩＥＴＦ  ＲＦＣ３２６７、及びＩＥＴＦ  ＲＦＣ３０１６に従う、ことを特徴とする請求項２に記載のゲートウェイ装置。
【請求項６】
前記変換部は、
前記制御信号、
前記音声信号について、コーデック、ビットレートと、標本化周波数のうちの少なくとも一つ、
前記映像信号について、画面解像度、ビットレート、コーデック、フレームレートのうちの少なくとも一つ、
圧縮方式、
のうちの少なくとも一つを変換する、ことを特徴とする請求項１又は２に記載のゲートウェイ装置。
【請求項７】
呼制御部を備え、
前記変換部は、
前記モバイル回線交換ネットワークに接続される端末からモバイル回線交換ネットワークを介して多重化されて伝送されたビットストリーム信号を受信し、前記ビットストリームを分離し、制御信号、圧縮符号化された音声信号、圧縮符号化された映像信号を取り出す分離部と、
前記制御信号を受けとり、前記制御情報をＭＥＧＡＣＯによる制御信号に変換し、前記呼制御部に出力する制御・解析部と、
圧縮符号化された音声信号ビットストリームをパケットに格納した上で出力する第１のパケット化部と、
圧縮符号化された映像信号ビットストリームをパケットに格納した上で出力する第２のパケット化部と、
を備え、
前記呼制御部は、前記制御・解析部から前記ＭＥＧＡＣＯ信号を受信し、ＳＩＰ信号やＳＤＰ信号に変換して出力する、ことを特徴とする請求項１に記載のゲートウェイ装置。
【請求項８】
呼制御部を備え、
前記変換部は、
多重化部と、
音声パケットを受信し圧縮符号化された音声信号ビットストリームを前記多重化部に出力する第３のパケット化部と、
映像パケットを受信し圧縮符号化された映像信号ビットストリームを前記多重化部に出力する第４のパケット化部と、
前記呼制御部からの制御信号を受信し、所定の制御情報に変換し、前記多重化部に出力する制御・解析部と、
を備え、
前記多重化部は、前記制御・解析部からの前記制御信号、前記第３、第４のパケット化部からの圧縮符号化ビットストリームを受け、多重化ビットストリームを生成し、前記モバイル回線交換ネットワークに送出する、ことを特徴とする請求項２に記載のゲートウェイ装置。
【請求項９】
ゲートウェイ装置によりモバイル回線交換ネットワークとモバイルＩＭＳ（ＩＰ  Ｍｕｌｔｉｍｅｄｉａ  Ｓｕｂｓｙｓｔｅｍ）ネットワークを相互接続しテレビ電話を実現する通信制御方法であって、
前記モバイル回線交換ネットワークに接続される端末から出力される多重化されたビットストリーム信号を分離して、制御信号、圧縮符号化された音声信号、圧縮符号化された映像信号のうちの少なくとも一つを取り出し、
前記制御信号は、ＭＥＧＡＣＯ（Ｍｅｄｉａ  Ｇａｔｅｗａｙ  Ｃｏｎｔｒｏｌ）信号、ＳＩＰ（Ｓｅｓｓｉｏｎ  Ｉｎｉｔｉａｔｉｏｎ  Ｐｒｏｔｏｃｏｌ）信号、ＳＤＰ（Ｓｅｓｓｉｏｎ  Ｄｅｓｃｒｉｐｔｉｏｎ  Ｐｒｏｔｏｃｏｌ）信号のうちの少なくとも一つに変換し、
前記音声信号は必要があれば変換し、
前記映像信号は必要があれば変換し、
前記音声信号及び前記映像信号をパケット化して前記ＩＭＳネットワークに送出する、ことを特徴とする通信制御方法。
【請求項１０】
ゲートウェイ装置によりモバイル回線交換ネットワークとモバイルＩＭＳ（ＩＰ  Ｍｕｌｔｉｍｅｄｉａ  Ｓｕｂｓｙｓｔｅｍ）ネットワークを相互接続しテレビ電話を実現する通信制御方法であって、
前記モバイルＩＭＳネットワークに接続される端末から出力される、ＳＩＰ（Ｓｅｓｓｉｏｎ  Ｉｎｉｔｉａｔｉｏｎ  Ｐｒｏｔｏｃｏｌ）信号及び／又はＳＤＰ（Ｓｅｓｓｉｏｎ  Ｄｅｓｃｒｉｐｔｉｏｎ  Ｐｒｏｔｏｃｏｌ）信号を受信し、
パケット化された圧縮符号化音声信号と、パケット化された圧縮符号化映像信号のうちの少なくとも一つを受信し、
前記ＳＩＰ信号又はＳＤＰ信号をＭＥＧＡＣＯ（Ｍｅｄｉａ  Ｇａｔｅｗａｙ  Ｃｏｎｔｒｏｌ）信号またはＨ．２４５信号のうち少なくとも一つからなる制御信号に変換し、
前記音声信号は必要があれば変換し、
前記映像信号は必要があれば変換し、
前記制御信号を前記音声信号と前記映像信号を多重化して前記モバイル回線交換ネットワークに送出する、ことを特徴とする通信制御方法。
【請求項１１】
モバイル回線交換ネットワークに接続される携帯端末とモバイルＩＭＳネットワークに接続される端末の間で能力情報が異なる場合は、ビットレート、標本化周波数、画面解像度、フレームレート、圧縮方式の能力情報のうちの少なくとも一つを変換する変換部を備えることを特徴とする請求項９又は１０に記載の通信制御方法。
【請求項１２】
前記音声信号、及び前記映像信号をパケット化するときに、それぞれＩＥＴＦ  ＲＦＣ３２６７、及びＩＥＴＦ  ＲＦＣ３０１６に従う、ことを特徴とする請求項９に記載の通信制御方法。
【請求項１３】
前記パケット化された圧縮音声信号、及び前記パケット化された圧縮映像信号は、それぞれＩＥＴＦ  ＲＦＣ３２６７、及びＩＥＴＦ  ＲＦＣ３０１６に従う、ことを特徴とする請求項１０に記載の通信制御方法。